(57)【特許請求の範囲】
【請求項１】
空気調和機内で除湿対象空気経路と再生用空気経路との間に介在し、除湿対象空気経路と再生用空気経路の流路方向と直交する方向の軸心廻りに回転自在に設けた複数のデシカント部を有し、
複数のデシカント部は、前記軸心廻りの回転操作によって一体的に変転する断面正四角形の柱体状をなし、通気路が除湿対象空気経路に連通する第１姿勢状態と、通気路が再生用空気経路に連通する第２姿勢状態とに変転し、
少なくとも１つのデシカント部が第１姿勢状態にあるときに、他の少なくとも一つのデシカント部が第２姿勢状態にあり、第１姿勢状態から第２姿勢状態への変転に際し、第１姿勢状態で除湿対象空気経路に接続した通気路の空気流入口をなす上流側開口が第２姿勢状態で通気路の空気流出口をなす下流側開口となることを特徴とするデシカントブロック装置。
【請求項２】
室内へ外気を給気し、夏季において除湿対象空気経路となり、冬季に再生用空気経路となる外気経路と、室内からの還気を排気し、夏季において再生用空気経路となり、冬季に除湿対象空気経路となる還気経路と、外気経路と還気経路に連通するデシカントブロック装置を備え、
デシカントブロック装置は、外気経路と還気経路との間に介在し、外気経路と還気経路の流路方向と直交する方向の軸心廻りに回転自在に設けた複数のデシカント部を有し、複数のデシカント部は、前記軸心廻りの回転操作によって一体的に変転する断面正四角形の柱体状をなし、通気路が除湿対象空気経路に連通する第１姿勢状態と、通気路が再生用空気経路に連通する第２姿勢状態とに変転し、
少なくとも１つのデシカント部が第１姿勢状態にあるときに、他の少なくとも一つのデシカント部が第２姿勢状態にあり、第１姿勢状態から第２姿勢状態への変転に際し、第１姿勢状態で除湿対象空気経路に接続した通気路の空気流入口をなす上流側開口が第２姿勢状態で通気路の空気流出口をなす下流側開口となることを特徴とするデシカント空気調和機。
【請求項３】
室内へ外気を給気し、夏季において除湿対象空気経路となり、冬季に再生用空気経路となる外気経路と、室内からの還気を排気し、夏季において再生用空気経路となり、冬季に除湿対象空気経路となる還気経路と、外気経路と還気経路に連通するデシカントブロック装置と全熱交換器を備え、
デシカントブロック装置は、外気経路と還気経路との間に介在し、かつ軸心廻りの回転操作によって通気路が除湿対象空気経路に連通する第１姿勢状態と、通気路が再生用空気経路に連通する第２姿勢状態とに変転する複数のデシカント部を有し、
複数のデシカント部は、少なくとも１つのデシカント部が第１姿勢状態にあるときに、他の少なくとも一つのデシカント部が第２姿勢状態にあり、第１姿勢状態から第２姿勢状態への変転に際し、第１姿勢状態で除湿対象空気経路に接続した通気路の空気流入口をなす上流側開口が第２姿勢状態で通気路の空気流出口をなす下流側開口となり、
全熱交換器は、外気経路と還気経路の双方の経路においてデシカントブロック装置の上流側に位置し、デシカントブロック装置を未通過の外気と還気が全熱交換し、
外気経路および還気経路は、全熱交換器を迂回するバイパス部を有することを特徴とするデシカント空気調和機。
【発明の詳細な説明】
【技術分野】
【０００１】
本発明は、デシカントブロック装置およびデシカント空気調和機に関し、デシカントブロックおよび還気の効率的な使用に係るものである。
【背景技術】
【０００２】
この種の技術では、デシカントブロックや全熱交換器がビルや住宅等における還気と外気の換気に使用されており、換気によって失われる空調エネルギーの全熱である顕熱（温度）と潜熱（湿度）を還気と外気との間で交換回収している。
【０００３】
例えば、特許文献１においては、外気が全熱交換器を通過した後にデシカントロータを通過して給気され、還気がデシカントロータを通過した後に全熱交換器を通過して排気される。そして、全熱交換器において外気と還気との間で全熱交換が行われ、デシカントロータでは外気に接触する一側で湿気の吸着もしくは収着により外気が除湿され、還気に接触する他側で湿気の脱着により還気が加湿される。
【０００４】
静止型のデシカントブロックへ通気する外気と還気の切り替え手段には、例えば特許文献２に記載するものがある。特許文献２においては、デシカントブロックが外気経路に接続する収着状態とデシカントブロックが還気経路に接続する再生状態とを切り替える収脱切替部を備えており、収脱切替部は扉体がスライドすることでデシカントブロックへ流入する外気と還気を切り換えている。
【０００５】
あるいは、特許文献３では、除加湿素子（デシカントブロック）が複数の通気路を有しており、通気路は通過空気の流れが除加湿素子の回転軸に対して垂直方向に形成されている。この除加湿素子を回転軸廻りに９０°だけ間欠的に回転または往復させることで通気路が処理側となる状態と再生側となる状態を切り替えている。
【先行技術文献】
【特許文献】
【０００６】
【特許文献１】特許４４７５８２３
【特許文献２】特開２０１３−１５５９４１
【特許文献３】特許３８６０３７４
【発明の概要】
【発明が解決しようとする課題】
【０００７】
上記した特許文献１の構成のように、デシカント部として円筒形状のデシカントロータを使用する場合には、デシカントロータが真円形であるために、矩形断面の通気路を有する空気調和機では、有効な流路面積が減少し、通気路に無駄な部位が生じる。
【０００８】
さらに、特許文献１では、還気がデシカントロータを再生した後に、デシカントロータから脱着させた湿気を含んで高湿度な状態で全熱交換器に流入し、この高湿度な還気と外気とで全熱交換を行う。このため、還気と外気の湿度差が小さくなり、全熱交換器における潜熱交換量が少なくなる問題があった。
【０００９】
特許文献２の構成のように、静止型のデシカントブロックを使用する場合には、流路を切り替えるための手段として流路ごとにダンパを必要とし、複数のダンパと各ダンパを開閉駆動する複数の駆動装置（ダンパモータ）とを必要とし、全体として装置が複雑化する問題があった。
【００１０】
特許文献３では、デシカントブロックの通気路を切り替える際に、夏季において、デシカントブロックの処理側（外気側）に接続した通気路の上流側開口が切替操作後においても再生側（還気側）に接続する上流側開口となる。このため、デシカントブロックの通気路において外気および還気が同じ通気方向に並流状に流れる。
【００１１】
処理側に接続した通気路では、外気から吸着もしくは収着する湿気の吸湿量が通気路の上流側において多くなり、通気路の下流側において少なくなる。この通気路に還気を外気と並流状に流すと、再生用空気である還気は湿気の吸湿量が多い側から湿気の吸湿量が少ない側へ流れ、通気路の入口側において多量の湿気を吸収した還気が通気路の出口側において吸湿量の少ない部位に接触する。
【００１２】
一般的に、還気が湿気を吸収する能力は外気と還気の湿度差が小さくなるほどに低下し、デシカントブロックから湿気を脱着させる操作はデシカントブロックの湿度と還気の湿度との湿度差が小さくなるほどに困難性が増す。
【００１３】
このため、デシカントブロックの通気路において外気および還気を同方向に並流状に通気する構成は、デシカントブロックの再生効率が低下する構造的要因を含むことになる。
本発明は上記した課題を解決するものであり、デシカントブロックの再生効率を高めることができるデシカントブロック装置、および複雑な構造を伴うことなく、全熱交換器における潜熱交換量を高めることができる空気調和機を提供することを目的とする。
【課題を解決するための手段】
【００１４】
上記課題を解決するために、本発明のデシカントブロック装置は、空気調和機内で除湿対象空気経路と再生用空気経路との間に介在し、除湿対象空気経路と再生用空気経路の流路方向と直交する方向の軸心廻りに回転自在に設けた複数のデシカント部を有し、複数のデシカント部は、前記軸心廻りの回転操作によって一体的に変転する断面正四角形の柱体状をなし、通気路が除湿対象空気経路に連通する第１姿勢状態と、通気路が再生用空気経路に連通する第２姿勢状態とに変転し、少なくとも１つのデシカント部が第１姿勢状態にあるときに、他の少なくとも一つのデシカント部が第２姿勢状態にあり、第１姿勢状態から第２姿勢状態への変転に際し、第１姿勢状態で除湿対象空気経路に接続した通気路の空気流入口をなす上流側開口が第２姿勢状態で通気路の空気流出口をなす下流側開口となることを特徴とする。
【００１５】
本発明のデシカント空気調和機は、室内へ外気を給気し、夏季において除湿対象空気経路となり、冬季に再生用空気経路となる外気経路と、室内からの還気を排気し、夏季において再生用空気経路となり、冬季に除湿対象空気経路となる還気経路と、外気経路と還気経路に連通するデシカントブロック装置を備え、デシカントブロック装置は、外気経路と還気経路との間に介在し、外気経路と還気経路の流路方向と直交する方向の軸心廻りに回転自在に設けた複数のデシカント部を有し、複数のデシカント部は、前記軸心廻りの回転操作によって一体的に変転する断面正四角形の柱体状をなし、通気路が除湿対象空気経路に連通する第１姿勢状態と、通気路が再生用空気経路に連通する第２姿勢状態とに変転し、少なくとも１つのデシカント部が第１姿勢状態にあるときに、他の少なくとも一つのデシカント部が第２姿勢状態にあり、第１姿勢状態から第２姿勢状態への変転に際し、第１姿勢状態で除湿対象空気経路に接続した通気路の空気流入口をなす上流側開口が第２姿勢状態で通気路の空気流出口をなす下流側開口となることを特徴とする。
【００１６】
本発明のデシカント空気調和機は、室内へ外気を給気し、夏季において除湿対象空気経路となり、冬季に再生用空気経路となる外気経路と、室内からの還気を排気し、夏季において再生用空気経路となり、冬季に除湿対象空気経路となる還気経路と、外気経路と還気経路に連通するデシカントブロック装置と全熱交換器を備え、
デシカントブロック装置は、外気経路と還気経路との間に介在し、かつ軸心廻りの回転操作によって通気路が除湿対象空気経路に連通する第１姿勢状態と、通気路が再生用空気経路に連通する第２姿勢状態とに変転する複数のデシカント部を有し、
複数のデシカント部は、少なくとも１つのデシカント部が第１姿勢状態にあるときに、他の少なくとも一つのデシカント部が第２姿勢状態にあり、第１姿勢状態から第２姿勢状態への変転に際し、第１姿勢状態で除湿対象空気経路に接続した通気路の空気流入口をなす上流側開口が第２姿勢状態で通気路の空気流出口をなす下流側開口となり、
全熱交換器は、外気経路と還気経路の双方の経路においてデシカントブロック装置の上流側に位置し、デシカントブロック装置を未通過の外気と還気が全熱交換し、
外気経路および還気経路は、全熱交換器を迂回するバイパス部を有することを特徴とする。
【発明の効果】
【００１９】
以上のように本発明によれば、除湿対象空気がデシカント部の通気路を通過することで、通気路では上流側の吸湿度が下流側の吸湿度に比べて高くなる。このため、デシカントブロック装置のデシカント部は、軸心廻りに回転して通気路の両側の開口が上流側と下流側に入れ替わり、通気路が除湿対象空気経路と再生用空気経路に対してそれぞれ異なる側の開口で連通する。
【００２０】
この状態で、再生用空気、つまり夏季には還気、冬季には外気が通気路を除湿対象空気に対して向流方向に流れるので、再生用空気は、湿度がまだ低くて湿気の吸収能力が高い状態で、通気路の吸湿度が低い上流側の部位を流れ、その後、通気路の湿度が高い下流側へ流れて行くにつれて湿度が高まる。よって、デシカント部は軸心廻りの回転により通気路に外気と還気が向流状に流れるので、デシカント部の再生効率が高まる。
【００２１】
デシカント空気調和機は、全熱交換器が外気経路と還気経路の双方においてデシカントブロック装置の上流側に位置し、外気はデシカントブロック装置を未通過の還気と全熱交換器において全熱交換するので、外気と還気の湿度差が大きくなり、潜熱交換量が多くなる。
【００２２】
静止型全熱交換器と回転により通気路を外気と還気が向流状に流れるデシカントブロック装置とを備えることにより、外気経路および還気経路の流路形状に制限がなく、コンパクトな空気調和機を実現できる。
【図面の簡単な説明】
【００２３】
【図１】本発明の実施の形態におけるデシカント空気調和機の構成を示す模式図
【図２】同実施の形態における全熱交換器を示す斜視図
【図３】同実施の形態におけるデシカントブロック装置の第１姿勢状態を示す斜視図
【図４】同実施の形態におけるデシカントブロック装置の第２姿勢状態を示す斜視図
【図５】同実施の形態におけるデシカント空気調和機の構成を示す斜視図
【図６】図５のＺ方向から視た空気の流れを示す模式図
【図７】図５のＹ方向から見た空気の流れを示す模式図
【図８】同実施の形態におけるデシカントブロック装置のシール構造を示す斜視図
【図９】図８のａ部拡大図
【図１０】本発明の他の実施の形態におけるデシカントブロック装置を示す模式図
【図１１】本発明の他の実施の形態におけるデシカントブロック装置を示す斜視図
【図１２】同デシカントブロック装置の正面図
【図１３】図１２のＡ−Ａ矢視断面図
【図１４】図１３のａ部拡大図
【発明を実施するための形態】
【００２４】
以下、本発明の実施の形態を図面に基づいて説明する。図１から図５において、デシカント空気調和機は、ケーシング１に、外気ＯＡを取り込む外気口２、室内へ外気ＯＡを給気ＳＡとして供給する給気口３、還気ＲＡを取り込む還気口４、還気ＲＡを排気ＥＡとして排出する排気口５とを有しており、ここでは外気口２から給気口３までの通気路を外気経路６とし、還気口４から排気口５までの通気路を還気経路７として説明する。
【００２５】
外気経路６は、夏季に除湿対象空気経路となり、冬季に再生用空気経路（加湿対象）となる。還気経路７は、夏季に再生用空気経路となり、冬季に除湿対象空気経路となる。
ケーシング１の内部は、横閉鎖板８で上下に分離され、第１縦閉鎖板９および第２縦閉鎖板１０でそれぞれ上流側と下流側に分離されている。
【００２６】
横閉鎖板８より上方で第１縦閉鎖板９より上流側を第１室１１、横閉鎖板８より下方で第１縦閉鎖板９より上流側を第２室１２、横閉鎖板８より上方で第１縦閉鎖板９と第２縦閉鎖板１０の間を第３室１３、横閉鎖板８より下方で第１縦閉鎖板９と第２縦閉鎖板１０の間を第４室１４、横閉鎖板８より上方で第２縦閉鎖板１０より下流側を第５室１５、横閉鎖板８より下方で第２縦閉鎖板１０より下流側を第６室１６とする。
【００２７】
外気経路６は、第１室１１、第４室１４、第５室１５からなり、還気経路７は、第２室１２、第３室１３、第６室１６からなる。外気経路６と還気経路７の途中には双方に連通するデシカントブロック装置１７と全熱交換器１８を設けている。さらに、外気経路６には、第４室１４に第１冷温水コイル１９を配置し、第５室１５に給気ファン２０およびその下流に第２冷温水コイル２１を配置しており、還気経路７には、第３室１３に温水コイル２２を配置し、第６室１６に排気ファン２３を配置している。第１冷温水コイル１９、温水コイル２２の隔壁によって第３室１３および第４室１４はそれぞれ前室１３ａ、１４ａおよび後室１３ｂ、１４ｂに分かれている。この第１冷温水コイル１９、第２冷温水コイル２１、温水コイル２２の数量や位置に制限はない。
【００２８】
デシカントブロック装置１７は第３室１３と第４室１４と第５室１５と第６室１６との間に介在し、デシカントブロック装置１７より上流側に位置する全熱交換器１８は第１室１１と第２室１２と第３室１３と第４室１４との間に介在している。
【００２９】
図２に示すように、全熱交換器１８は、外気経路６に連通する複数の流路１８ａからなる第１流路群１８１と、還気経路７に連通する複数の流路１８ｂからなる第２流路群１８２を有しており、第１流路群１８１の流路１８ａと第２流路群１８２の流路１８ｂとを交互に積み重ね、かつ双方の流路１８ａ、１８ｂを直交流状に配置した静止型全熱交換器であり、外気ＯＡはデシカントブロック装置１７を未通過の還気ＲＡと全熱交換器１８において全熱交換する。
【００３０】
デシカントブロック装置１７は、外気経路６と還気経路７の流路方向と直交する方向の軸心廻りに回転自在に設けた複数のデシカント部１７ａ、１７ｂからなり、各デシカント部１７ａ、１７ｂは、それぞれに複数の通気路１７１ａ、１７１ｂを有するデシカントブロック１７２ａ、１７２ｂおよびデシカントブロック１７２ａ、１７２ｂを収納保持するフレーム１７３ａ、１７３ｂを備えている。本実施の形態では、二つのデシカント部１７ａ、１７ｂを開示して説明するが、デシカント部１７ａ、１７ｂには数量的な制限はない。
【００３１】
本実施の形態において、複数のデシカント部１７ａ、１７ｂは、軸心廻りの回転操作により、一体的に変転する断面正四角形の柱体状をなし、軸心と平行な４面のうちの１組の対向面Ａ、Ｂのうちの一方が空気流入面をなし、他方が空気流出面をなし、他の１組の対向面Ｃ、Ｄが閉鎖面をなす。デシカント部１７ａ、１７ｂには形状的な制限はなく、種々の形状を採用できる。
【００３２】
デシカント部１７ａ、１７ｂを回転駆動する手段としては種々のものが採用でき、例えばプーリーとベルトの組み合わせ、スプロケットとチェーンの組み合わせである。回転軸の方向は水平方向にも、垂直方向にも配置することができる。
【００３３】
通気路１７１ａ、１７１ｂは空気流入面と空気流出面との間に形成されており、空気流入面における開口が空気流入口となり、空気流出面における開口が空気流出口となり、一方のデシカント部１７ａの通気路１７１ａと他方のデシカント部１７ｂの通気路１７１ｂは直交する方向に形成されている。
【００３４】
デシカント部１７ａ、１７ｂは、軸心廻りの回転操作によって通気路１７１ａ、１７１ｂが除湿対象空気経路、つまり夏季には外気経路６、冬季には還気経路７に連通する第１姿勢状態と、通気路１７１ａ、１７１ｂが再生空気用経路、つまり夏季には還気経路７、冬季には外気経路６に連通する第２姿勢状態とに変転する。
【００３５】
例えば、夏季において、一方のデシカント部１７ａは、第１姿勢状態にあるときに、外気経路６の上流側に向く面が空気流入面となり、外気経路６の下流側に向く面が空気流出面となり、閉鎖面が還気経路７に対向する。
【００３６】
そして、他方のデシカント部１７ｂが第２姿勢状態となって、還気経路７の上流側に向く面が空気流入面となり、還気経路７の下流側に向く面が空気流出面となり、閉鎖面が外気経路６に対向する。
【００３７】
図８、図９に示すように、横閉鎖板８、第２縦閉鎖板１０は、デシカント部１７ａ、１７ｂに対向する縁端部にフレキシブルなシール部材２４を設けており、シール部材２４はデシカント部１７ａ、１７ｂの角部においてフレーム１７３ａ、１７３ｂに密接し、デシカント部１７ａ、１７ｂと横閉鎖板８、第２縦閉鎖板１０のそれぞれとの間を封止している。
【００３８】
以下、上記した構成における作用について説明する。
夏季モード
夏季モードでは、外気ＯＡが除湿対象空気で外気経路６が除湿対象空気経路となり、還気ＲＡが再生用空気で還気経路７が再生用空気経路となる。
【００３９】
このために、図６（ａ）に示すように、一方のデシカント部１７ａが外気経路６に接続する第１姿勢状態にあるときに、図７（ａ）に示すように、他のデシカント部１７ｂが還気経路７に接続する第２姿勢状態となる。
【００４０】
この状態で、全熱交換器１８には、外気経路６に連通する第１流路群１８１の複数の流路１８ａに外気ＯＡが流入し、還気経路７に連通する第２流路群１８２の複数の流路１８ｂに還気ＲＡが流入し、外気ＯＡと還気ＲＡが全熱交換器１８において全熱交換する。このとき、還気ＲＡはデシカントブロック装置１７を通過する前の状態にあり、その湿度が低い状態にあり、外気ＯＡと還気ＲＡの湿度差が大きく、潜熱交換量が大きくなる。
【００４１】
全熱交換器１８を通過した外気ＯＡは、夏季に冷水コイルとなる第１冷温水コイル１９で予冷されて後に、図６（ａ）に示すように、一方のデシカント部１７ａに流入して吸着もしくは収着により除湿される。その後、外気ＯＡは給気ファン２０を通って、夏季に冷水コイルとなる第２冷温水コイル２１で設定温度に調整されて給気される。
【００４２】
一方、全熱交換器１８を通過した還気ＲＡは、温水コイル２２で予熱されて後に、図７（ａ）に示すように、他方のデシカント部１７ｂに流入し、吸収により湿気を脱離させてデシカント部１７ｂを再生し、排気ファン２３により排気される。
【００４３】
所定時間の経過後、あるいは適当時に、図６（ｂ）、図７（ｂ）に示すように、デシカントブロック装置１７のデシカント部１７ａ、１７ｂを回転させ、一方のデシカント部１７ａを第１姿勢状態から第２姿勢状態へ変転させ、他方のデシカント部１７ｂを第２姿勢状態から第１姿勢状態へ変転させる。
【００４４】
除湿に使用した一方のデシカント部１７ａが第１姿勢状態から第２姿勢状態へ変転するのに際し、図６（ａ）に示すように、第１姿勢状態で外気経路６に接続した通気路１７１ａの空気流入口をなす上流側開口（Ｂ）が、図６（ｃ）に示すように、還気経路７に接続する第２姿勢状態で通気路１７１ａの空気流出口をなす下流側開口（Ｂ）となる。
【００４５】
このように、デシカントブロック装置１７のデシカント部１７ａ、１７ｂが、軸心廻りに回転して通気路１７１ａ、１７１ｂの上流側の開口が下流側へ変転し、通気路１７１ａ、１７１ｂが除湿対象空気経路の外気経路６と再生用空気経路の還気経路７に対してそれぞれ異なる側の開口で連通する。このため、一方のデシカント部１７ａの通気路１７１ａは、外気が流れる間に吸湿度の高くなった部位が上流側から下流側に変転し、吸湿度の低い部位が下流側から上流側へ変転する。
【００４６】
この状態で、図６（ｃ）に示すように、再生用空気の還気ＲＡが通気路１７１ａを上流側開口（Ａ）から下流側開口（Ｂ）に向けて、除湿対象空気である外気ＯＡの流れに対して向流方向に流れるので、再生用空気は、湿度がまだ低くて湿気の吸収能力が高い状態で、通気路１７１ａの吸湿度が低い上流側の部位を流れ、その後、通気路１７１ａの吸湿度が高い下流側へ流れて行くのにつれて湿度が高まり、通気路１７１ａが再生される。よって、デシカント部１７ａは軸心廻りの回転により通気路１７１ａに外気ＯＡと還気ＲＡが向流状に流れることで、デシカント部１７ａの再生効率が高まる。
【００４７】
さらに、デシカント部１７ａ、１７ｂの空気流入面が空気流出面に切り替わるので、空気流入面に付着した埃や異物が、回転操作の都度に排気側へ排出され、通気抵抗の増加を抑制でき、給気ファン２０および排気ファン２３の動力を抑制できる。
冬季モード
冬季には、還気ＲＡが除湿対象空気で還気経路７が除湿対象空気経路となり、外気ＯＡが再生用空気で外気経路６が再生用空気経路（加湿対象）となり、上述した操作と同様の操作において、還気ＲＡから除湿した湿気を外気ＯＡに与えて加湿し、調整後の外気ＯＡを給気する。
【００４８】
この場合にも、デシカントブロック装置１７のデシカント部１７ａ、１７ｂが、軸心廻りに回転して通気路１７１ａ、１７１ｂの上流側の開口が下流側へ変転し、通気路１７１ａ、１７１ｂが除湿対象空気経路の還気経路７と再生用空気経路の外気経路６に対してそれぞれ異なる側の開口で連通する。このため、一方のデシカント部１７ａの通気路１７１ａは、還気が流れる間に吸湿度の高くなった部位が上流側から下流側に変転し、吸湿度の低い部位が下流側から上流側へ変転する。
【００４９】
そして、再生用空気の外気ＯＡは、通気路１７１ａを除湿対象空気である還気ＲＡの流れに対して向流方向に流れ、湿度がまだ低くて湿気の吸収能力が高い状態で、通気路１７１ａの吸湿度が低い上流側の部位を流れ、その後、通気路１７１ａの吸湿度が高い下流側へ流れて行くのにつれて湿度が高まり、通気路１７１ａが再生される。よって、デシカント部１７ａは軸心廻りの回転により通気路１７１ａに外気ＯＡと還気ＲＡが向流状に流れることで、デシカント部１７ａの再生効率が高まり、冬季における外気ＯＡの加湿効率が高まる。
【００５０】
このように、本発明に係るデシカントブロック装置１７と静止型の全熱交換器１８を組み合わせ、デシカントブロック装置１７における外気と還気の向流状の通気を行い、かつ全熱交換器１８において外気とデシカントブロック装置１７を未通過の還気との全熱交換を行うことで、デシカント部の再生効率を高めることができるとともに、複雑な構造を伴うことなく、全熱交換器における全熱交換率を高めることができる空気調和機を実現できる。
【００５１】
デシカントブロック装置１７における流路の切り替えをデシカントブロック装置１７の回転により行うことで、従来の切替装置に比べて部品点数および可動箇所の削減により、装置全体の耐久性やメンテナンス性を向上させることができる。
本発明の他の実施の形態
図１０に示すように、第１室１１と第４室１４の間に外気経路６のバイパス路６ａおよびダンパ装置６ｂを設け、第２室１２と第３室１３の間に還気経路７のバイパス路７ａおよびダンパ装置７ｂを設けることも可能である。ダンパ装置７ｂの数量や位置に制限はない。本実施の形態において、先の実施の形態と同様の作用を行う部材には同符号を付してその説明を省略する。
【００５２】
この構成によれば、外気ＯＡと還気ＲＡの比エンタルピに差が少なく、換気運転において全熱交換器１８が不要となる中間期には、ダンパ装置６ｂ、７ｂを開放することで、外気ＯＡおよび還気ＲＡがそれぞれバイパス路６ａ、７ａを通って全熱交換器１８を迂回して流れる。このため、給気ファン２０および排気ファン２３の動力を低減できる。
【００５３】
図１１から図１４に示すように、デシカントブロック装置１７は、断面正円形の円筒体をなす複数のデシカント部３０ａ、３０ｂで構成することもできる。ここでは、デシカント部３０ａ、３０ｂが軸心廻りの外周面に円周の１／４ずつに分けられた空気流入面Ａ、空気流出面Ｂ、閉鎖面Ｃ、Ｄを有しており、一方のデシカント部３０ａの空気流入面Ａと空気流出面Ｂの間に通気路１７１ａを形成し、他方のデシカント部３０ｂの空気流入面Ａと空気流出面Ｂの間に通気路１７１ｂを形成する。
【００５４】
この構成においてもデシカント部３０ａ、３０ｂの回転により、流路の切り替えを行うことができる。そして、デシカント部３０ａ、３０ｂの断面形状を正円形とすることで、シール部材２４が常にデシカント部３０ａ、３０ｂの外周面に摺接する状態を維持するので、流路切り替え時における気流のリークを抑制できる。
【符号の説明】
【００５５】
１    ケーシング
２    外気口
３    給気口
４    還気口
５    排気口
６    外気経路
６ａ  バイパス路
６ｂ  ダンパ装置
７    還気経路
７ａ  バイパス路
７ｂ  ダンパ装置
８    横閉鎖板
９    第１縦閉鎖板
１０    第２縦閉鎖板
１１    第１室
１２    第２室
１３    第３室
１３ａ  前室
１３ｂ  後室
１４    第４室
１４ａ  前室
１４ｂ  後室
１５    第５室
１６    第６室
１７    デシカントブロック装置
１７ａ、１７ｂ  デシカント部
１８    全熱交換器
１８ａ、１８ｂ  流路
１９    第１冷温水コイル
２０    給気ファン
２１    第２冷温水コイル
２２    温水コイル
２３    排気ファン
２４    シール部材
３０ａ、３０ｂ  デシカント部
１７１ａ、１７１ｂ  通気路
１７２ａ、１７２ｂ  デシカントブロック
１７３ａ、１７３ｂ  フレーム
１８１    第１流路群
１８２    第２流路群
ＯＡ    外気
ＲＡ    還気
ＳＡ    給気
ＥＡ    排気
【図１】
0006376890.tif 000002
【図２】
0006376890.tif 000003
【図３】
0006376890.tif 000004
【図４】
0006376890.tif 000005
【図５】
0006376890.tif 000006
【図６】
0006376890.tif 000007
【図７】
0006376890.tif 000008
【図８】
0006376890.tif 000009
【図９】
0006376890.tif 000010
【図１０】
0006376890.tif 000011
【図１１】
0006376890.tif 000012
【図１２】
0006376890.tif 000013
【図１３】
0006376890.tif 000014
【図１４】
0006376890.tif 000015